(57)【要約】      （修正有）【課題】ストッパーの有効活用を図るとともに、効率的な梱包が可能であり、かつ、流通過程での破損を回避できるポンプ式吐出器を提案する。【解決手段】容器本体の口頚部に係合可能なベースキャップ１にて該口頚部に固定保持されるポンプ２と、該ポンプ２の中空ステムを上下動させることにより容器本体内の内容物をノズル６を通して吐出させる押圧ヘッド３とを備えたポンプ式吐出器において、前記押圧ヘッド３は、ヘッド本体３ａに、前記中空ステムの内部経路につながる開口部５を有するものとする。前記ノズル６は、該開口部５に後端部分６ａを差し込んで該押圧ヘッド３に接続されるノズル本体６ｂと、このノズル本体６ｂに一体連結し、該ノズル本体６ｂの、該押圧ヘッド３への接続前に該ノズル本体６ｂとともに該押圧ヘッドから該ベースキャップ１の天面壁１ｂに至るまでの間に配設されて該押圧ヘッド３の押し下げを規制するストッパー６ｃとで構成する。【選択図】図１
2016101960.tif 000002
【特許請求の範囲】
【請求項１】
容器本体の口頚部外周に係合可能なベースキャップと、該口頚部を通して容器本体の内側に吊り下げられ、該ベースキャップにて該口頚部に固定保持されるポンプと、該ポンプの中空ステムにつながり、該中空ステムを繰り返し上下動させることにより該ポンプを作動させて容器本体内の内容物をノズルを通して吐出させる押圧ヘッドとを備えたポンプ式吐出器であって、
前記押圧ヘッドは、そのヘッド本体に、前記中空ステムの内部経路につながる開口部を有し、
前記ノズルは、該開口部に後端部分を差し込んで該押圧ヘッドに接続されるノズル本体と、このノズル本体に一体連結し、該ノズル本体の、該押圧ヘッドへの接続前に該ノズル本体とともに該押圧ヘッドから該ベースキャップの天面壁に至るまでの間に配設されて該押圧ヘッドの押し下げを規制するストッパーからなることを特徴とするポンプ式吐出器。
【請求項２】
前記ノズルのノズル本体は、内容物の吐出経路が屈曲された屈曲部を有し、前記ストッパーは、該屈曲部の内側に設けられ、開放部を通して前記筒体への着脱を可能とするＣ形状をなす板状の弾性片からなることを特徴とする請求項１に記載したポンプ式吐出器。
【請求項３】
前記開口部は、非円形であり、前記ノズル本体の後端部分は、該開口部に適合可能な形状であることを特徴とする請求項１または２に記載したポンプ式吐出器。
【請求項４】
前記ベースキャップは、その天面壁に、前記押圧ヘッドを案内する筒体を備え、
前記ストッパーは、該筒体に着脱自在に嵌合するものであることを特徴とする請求項１〜３のいずれか１に記載したポンプ式吐出器。
【発明の詳細な説明】
【技術分野】
【０００１】
本発明は、押圧ヘッドを繰り返し上下動させ、その押圧ヘッドにつながる中空ステムを通してポンプを作動させることによって容器本体内の内容物をノズルを通して吐出させるポンプ式吐出器に関するものである。
【背景技術】
【０００２】
押圧ヘッドを上下動させることによってポンプを作動させ、容器内の内容物を吐出する、吐出器は、容器本体内の内容物を必要に応じて適量取り出すことが可能であり、シャンプーやリンス、整髪料、化粧料等の内容物を入れる容器に多用されている。
【０００３】
この種の吐出器は、商品の流通過程で押圧ヘッドの不用意な押込みによる内容物の流出を防止する観点から、押圧ヘッドと取付けキャップとの間の筒体でＣ字形状をなすスペーサーを取付けて押圧ヘッドの動きを規制しており、この点に関する先行文献としては、例えば、特許文献１に開示された流体吐出容器のスペーサーが知られている。
【先行技術文献】
【特許文献】
【０００４】
【特許文献１】特開２００４−２６２５０３号公報
【発明の概要】
【発明が解決しようとする課題】
【０００５】
ところで、上記のスペーサーは、内容物を吐出させるとき筒体から取り外され、ゴミとして廃棄されるのが普通であり、資源の有効活用が図られているとはいえないものであった。
【０００６】
また、ポンプを作動させる押圧ヘッドは、操作性の改善を図るため、近年、そのサイズが大型化される傾向にあるが、とくにノズルが押圧ヘッドから突出している構造のものにあっては、商品の効率的な梱包が困難となるばかりか、商品の流通過程でノズルが他の部材に引っ掛かって破損を引き起こすことも懸念される。
【０００７】
本発明の課題は、上記のような従来の問題を有利に解消できるポンプ式吐出器を提案するところにある。
【課題を解決するための手段】
【０００８】
本発明は、容器本体の口頚部外周に係合可能なベースキャップと、該口頚部を通して容器本体の内側に吊り下げられ該ベースキャップにて該口頚部に固定保持されるポンプと、該ポンプの中空ステムにつながり該中空ステムを繰り返し上下動させることにより該ポンプを作動させて容器本体内の内容物をノズルを通して吐出させる押圧ヘッドとを備えたポンプ式吐出器であって、
前記押圧ヘッドは、そのヘッド本体に、前記中空ステムの内部経路につながる開口部を有し、
前記ノズルは、該開口部に後端部分を差し込んで該押圧ヘッドに接続されるノズル本体と、このノズル本体に一体連結し、該ノズル本体の、該押圧ヘッドへの接続前に該ノズル本体とともに該押圧ヘッドから該ベースキャップの天面壁に至るまでの間に配設されて該押圧ヘッドの押し下げを規制するストッパーからなることを特徴とするポンプ式吐出器である。
【０００９】
上記の構成からなるポンプ式吐出器は、前記ノズルのノズル本体を、内容物の吐出経路が屈曲された屈曲部を有するものとし、前記ストッパーを、該屈曲部の内側に設けられ、開放部を通して前記筒体への着脱を可能とするＣ形状をなす板状の弾性片からなるものとするのが好ましい。さらに、ベースキャップは、その天面壁に、押圧ヘッドを案内する筒体を備えたものとし、ストッパーは、該筒体に着脱自在に嵌合するものとするのが望ましい。
【発明の効果】
【００１０】
上記の構成からなる本発明のポンプ式吐出器によれば、押圧ヘッドとノズルとを別体で構成したため、商品の流通過程では、ノズルを押圧ヘッドとベースキャップの相互間に格納することができ、スペースの拡大により効率的な梱包が可能になるとともに、ノズルの破損等を確実に回避することができる。
【００１１】
また、本発明のポンプ式吐出器によれば、押圧ヘッドの不用意な押し下げを規制するストッパーは、ノズル本体に一体連結しているため、商品の使用時に取り外されて、ゴミとして廃棄されることがない。
【００１２】
また、本発明のポンプ式吐出器によれば、ノズルを押圧ヘッドに接続するとき、例えば、ストッパーをノズル本体の下面に位置させることにより、そのストッパーを、指掛け部材として使用することができ、押圧ヘッドを押し込む際に、安定した操作が可能となる。
【００１３】
また、本発明のポンプ式吐出器によれば、ノズル本体に、内容物の吐出経路を屈曲させる屈曲部を設け、ノズルの吐出口が下方に向くように押圧ヘッドに接続することにより、内容物を常に下向きに吐出させることが可能となり、使い勝手が改善される。とくに、ノズル本体の後端部分の形状とこの後端部分が差し込まれるヘッド本体の開口部の形状を非円形とすることによりノズルの向きを確実に決めることができる。さらに、本発明のポンプ式吐出器によれば、ベースキャップの天面壁に、押圧ヘッドを案内する筒体を設け、この筒体にストッパーを着脱自在に嵌合させることで、該ストッパーの確実な配設が可能となる。
【図面の簡単な説明】
【００１４】
【図１】本発明に従うポンプ式吐出器の実施の形態をノズルの取付け前の状態（商品の流通状態）で模式的に示した図であり、（ａ）は平面図、（ｂ）は側面図である。
【図２】図１のＡ−Ａ断面を示した図である。
【図３】図１に示したポンプ式吐出器について、内容物の吐出が可能な状態（使用可能状態）を示した図であり、（ａ）は平面図、（ｂ）は側面図である。
【発明を実施するための形態】
【００１５】
以下、図面を用いて本発明をより具体的に説明する。
図１（ａ）（ｂ）は、本発明に従うポンプ式吐出器の実施の形態をノズルの取付け前の状態（商品の流通状態）で示した図であり、図２は、図１のＡ−Ａ断面を示した図であり、図３（ａ）（ｂ）は、図１（ａ）（ｂ）に示したポンプ式吐出器について、内容物の吐出が可能な状態（使用可能状態）で示した図である。
【００１６】
図１〜３における符号１は、容器本体の口頚部（図示せず）に係合可能なベースキャップである。
このベースキャップ１は、容器本体の口頚部を取り囲み、該口頚部にねじあるいはアンダーカットによって係合可能な周壁１ａと、この周壁１ａの上端に一体連結する天面壁１ｂと、この天面壁１ｂの中央部において起立するとともに押圧ヘッド（後述する）を案内する筒体１ｃから構成されている。
【００１７】
また、２は容器本体の口頚部を通して容器本体の内側に吊下げられ、該ベースキャップ１によって該口頚部に固定保持されるポンプである。ポンプ２としては、例えば、内容物の吸引、加圧空間を形成するシリンダーと、このシリンダーの内側に配置され、そのシリンダーの内壁面に沿って上下にスライド可能なピストンと、このピストンとともに上下に移動可能でその上部がシリンダーからベースキャップ１の筒体１ｃへ向けて突出する中空ステムと、この中空ステムをシリンダー内で上向きの反発力でもって弾性支持するとともに、押圧ヘッド（後述する）を上昇姿勢に保持するスプリングと、シリンダー内に配置され、内容物の吸引時にのみ吸引口を開放する弁部材と、中空ステムの下端に設けられピストンを中空ステムにおいて抜け止め保持するピストンガイド等の部材から構成されるものが適用される。
【００１８】
ポンプ２の内部構造については、ここでは、とくに図示しないが、容器本体内の内容物を液状のまま吐出するポンプや液状の内容物を霧状にして吐出させる蓄圧式ポンプ、あるいは液状の内容物を泡状にして吐出させるフォーマーポンプ等、一般に周知なポンプを適用することが可能であり、本発明では、ポンプの形式についてはとくに限定されない。
【００１９】
また、３は、ベースキャップ１の上方に設けられた押圧ヘッドである。押圧ヘッド３は、ポンプ２の中空ステムにつながり、該中空ステムを繰り返し上下動させるものである。この押圧ヘッド３の押込み操作によって、ポンプ２が作動する。ポンプ２の作動によって吸引、加圧、圧送された内容物は、中空ステム、押圧ヘッド３およびその押圧ヘッド３のノズルを通して外界へと吐出される。
【００２０】
押圧ヘッド３は、具体的には、天面を押圧部とするヘッド本体３ａと、このヘッド本体３ａの下面から垂下され、その内側に中空ステムの内部経路につながる通路を備えた内筒３ｂと、この内筒３ｂを隙間を隔てて取り囲み、ヘッド本体３ａの下面から垂下される外筒３ｃから構成されている。外筒３ｃは、ベースキャップ１の筒体１ｃの外側に位置しており、押圧ヘッド３を上下動させるとき、筒体１ｃの外表面に沿って上下動する。
【００２１】
また、４は、外筒３ｃの下端に設けられた環状のシール部材である。このシール部材４は、押圧ヘッド３が押圧開始前の状態（初期姿勢）にあるとき、筒体１ｃの上端に設けられた環状凸部１ｄに当接または近接しており、これにより、その部位からの水分、ゴミ等の侵入を防止している。
【００２２】
また、５は、押圧ヘッド３のヘッド本体３ａの前面側に設けられた非円形、例えば、矩形状（
長方形等）からなる開口部である。この開口部５は、内筒３ｂの通路に連通するヘッド本体３ａの通路、内筒３ｂの通路を通して中空ステムの内部通路につながっている。
【００２３】
また、６は、開口部５に接続可能なノズルである。このノズル６は、開口部５と同じ形状（矩形状）からなる後端部分６ａを有し、該後端部分６ａを該開口部５にアンダーカットの如き手段によって引き抜け不能に差し込むことによって押圧ヘッド３のヘッド本体３ａにおいて接続可能なノズル本体６ｂと、このノズル本体６ｂに一体連結し、ベースキャップ１の筒体１ｃに着脱自在に嵌合して押圧ヘッド３の押し下げを規制するストッパー６ｃから構成されている。なお、ノズル本体６ｂの後端部分６ａは、開口部５に着脱自在に差し込まれるものであってもかまわない。また、ストッパー６ｃは、押圧ヘッド３の、外筒３ｃの下端からベースキャップ１の天面壁１ｂに至るまでの間に配設して筒体１ｃに着脱自在に嵌合するものを例と示したが、筒体１ｃを備えていないベースキャップ１にあっては、その部位に、ポンプ２の中空ステムが露出することになるため、ストッパー６ｃを中空ステムに着脱自在に嵌合さればよい。
【００２４】
ノズル本体６ｂとしては、内容物の吐出経路Ｍが屈曲された屈曲部６ｄを有するものを適用することができる（図３参照）。
【００２５】
また、ストッパー６ｃとしては、ノズル本体６ｂの屈曲部６ｄの内側に一体的に設けられ、開放部６ｅを通して筒体１ｃへの着脱が可能であり、かつ、幅方向の一端が押圧ヘッド３の外筒３ｃの下端に当接する一方、幅方向の反対側の一端がベースキャップ１の天面壁１ｂに当接するＣ型形状をなす板状の弾性片を適用することができる。なお、外筒３ｃの下端にシール部材４が配置されている構成のものにあっては、図１（ｂ）に示すように、ストッパー６ｃの一端は該シール部材４に当接させるようにしてもよい。
【００２６】
上記の構成からなるポンプ式吐出器は、図１（ａ）（ｂ）に示すような状態（商品の流通状態）、すなわち、ノズル６を取付ける前の状態では、ストッパー６ｃはベースキャップ１の筒体１ｃに嵌合しており、押圧ヘッド３の押込みが規制されている。そして、このとき、ノズル本体６ｂは、押圧ヘッド３とベースキャップ１の相互間で、図１（ａ）、図２のＡ−Ａ断面に示すように、横向き姿勢で該ベースキャップ１の径方向の範囲内に位置している。これにより、商品の梱包スペースが拡大され、商品の効率的な梱包か可能となる。また、かかる構造においては、商品の流通過程でノズル６が他の部材に引っ掛かって破損する等、不測の事態を回避することができる。
【００２７】
ノズル本体６ｂの吐出口６ｆが下向きになるようにその後端部分６ａを、開口部５に差し込んだ図３（ａ）（ｂ）に示すような状態では、押圧ヘッド３を押し込むとき、ストッパー６ｃを指掛け部材として利用することができるので、押圧ヘッド３の安定した操作が可能となり、従来、使用時に廃棄されていたストッパー６ｃの有効利用を図り得る（資源の有効活用が可能）。
【００２８】
本発明では、開口部５の形状を非円形である矩形状（長方形）とし、ノズル本体６ｂの後端部分６ａの形状を開口部５に嵌合可能な矩形状として、ノズル６の吐出口６ｆの向きを決定するようにしたが、ノズル本体６ｂの方向性を確実に決めることができる形状であれば開口部５の形状、ノズル本体６ｂの後端部分６ａの形状はどのような形状にも変更可能であり、図示のものに限定されることはない。また、ノズル本体６ｂは、開口部５に対して回転可能に装着するものであってもよい。
【産業上の利用可能性】
【００２９】
本発明によれば、資源の有効活用を図るとともに、商品の効率的な梱包が可能であり、かつ流通過程での商品の破損を回避し得るポンプ式吐出器が提供できる。
【符号の説明】
【００３０】
１      ベースキャップ
１ａ    周壁
１ｂ    天面壁
１ｃ    筒体
１ｄ    環状凸部
２      ポンプ
３      押圧ヘッド
３ａ    ヘッド本体
３ｂ    内筒
３ｃ    外筒
４      シール部材
５      開口部
６      ノズル
６ａ    後端部分
６ｂ    ノズル本体
６ｃ    ストッパー
６ｄ    屈曲部
６ｅ    開放部
６ｆ    吐出口
Ｍ      吐出経路
【図１】
2016101960.tif 000003
【図２】
2016101960.tif 000004
【図３】
2016101960.tif 000005